(57)【特許請求の範囲】
【請求項１】
少なくとも座部を有する介護用シャワー椅子であって、座部に凹状の便貯留部を設け、凹状の便貯留部内に水抜き孔を設けたことを特徴とした介護用シャワー椅子。
【請求項２】
前記凹状の便貯留部は、便の流出を規制する壁部を有することを特徴とした請求項１記載の介護用シャワー椅子。
【請求項３】
前記座部に設けた凹状の便貯留部を着脱可能にしたことを特徴とした請求項１又は請求項２に記載の介護用シャワー椅子。
【請求項４】
前記座部に合成樹脂発砲体座面を嵌合させる為の貫通孔を設け、合成樹脂発砲体座面下方に座部に設けた貫通孔と嵌合させる為の凸部を設けたことを特徴とした請求項１から３のいずれか１項に記載の介護用シャワー椅子。
【発明の詳細な説明】
【技術分野】
【０００１】
本発明は、高齢者や身体障害者が浴室で介護用シャワー椅子に腰かけ体を洗ったり、シャワーを浴びた際、筋肉が緩み又はシャワーの刺激などで便を催した場合、便が臀部に付着する量をなるべく少なくすることを目的とした介護用シャワー椅子に関するものである。
【背景技術】
【０００２】
介護用シャワー椅子は種々提案されているが、特許文献１、特許文献２、特許文献３、特許文献４は座部に凹部を設けているが便をもよおした場合凹部前後が開放されているため便が流れ出てしまう。
又、凹部内に便をした場合シャワーヘッドは凹部内に差し込めず、シャワーヘッドを汚す欠点がある。
【０００３】
又、文献５は折畳み式介護用車椅子であり、便座付き座板の下面に着脱式のバケツ形便器の便器受けを備えており、浴室用椅子としての機能も有する折り畳み式介護用車椅子であるが、バケツ形便器に水抜き孔が無いため、浴室で使用し便を催した場合シャワーなどの水が体を伝いバケツ形便器に溜り、水量と共に便が浮上し溢れ出す恐れがある。
【先行技術文献】
【特許文献】
【０００４】
【特許文献１】実用新案登録第平成３−９４２２５号公報
【特許文献２】実用新案登録第２５５１５０７号公報
【特許文献３】特許第４５８４７９８号公報
【特許文献４】特許第５０４２１０７号公報
【特許文献５】特許第３８４０４６６号公報
【発明の概要】
【発明が解決しようとする課題】
【０００５】
浴室で高齢者や身体障害者の方が介護用シャワー椅子に腰かけ体を洗ったり、シャワーを浴びたりした際、筋肉が緩み又はシャワーの刺激などで便を催した場合、平面の座部であれば便が臀部に広がり、いざ入浴させようと体を抱え上げ初めて便をしていることに気付き、抱え上げたまま他の介護者に臀部を洗っていただく必要がある。
【０００６】
又、座部に凹部を設けてある場合前後が開放されているため、便が前後から流れ出て浴室床を汚す恐れがある。
これらの不便を解決するための介護用シャワー椅子を提供することを目的としている。
【課題を解決するための手段】
【０００７】
本発明は、高齢者や身体障害者の方が浴室で介護用シャワー椅子に腰かけ体を洗ったり、シャワーを浴びたりした際、筋肉が緩み又はシャワーの刺激などで便を催した際に使用する介護用シャワー椅子に関するものである。
【０００８】
請求項１は、少なくとも座部を有する介護用シャワー椅子であって、座部に
凹状の便貯留部を設け、凹状の便貯留部内に水抜き孔を設けている為、ある程度の水分を凹状の便貯留部から排出することにより凹状の便貯留部内に水分を貯めこまず、便が水分と一緒に浮上し臀部を汚すことを防止することが出来る。
【０００９】
又、水抜き孔は縦スリットを設けたものでもよく、又壁部が容器内部から外部に抜けられる空間が設けられたものを水抜き孔とし、図１２のように鍔部が開いているものでもよく、形状にこだわるものではないことを特徴とした介護用シャワー椅子を提供する。
【００１０】
請求項２は、凹状の便貯留部に便の流出を規制する壁部を有することを特徴とした介護用シャワー椅子であり、周囲に壁部を設け、いずれの方向の縦断面も凹状に形成されている。又、壁部を有することで凹状の便貯留部前後が開放されていないため、便が凹状の便貯留部から流れ出ることを防ぐことを特徴とした介護用シャワー椅子を提供する。
【００１１】
請求項３は、座部に設けた凹状の便貯留部を着脱可能にしたことで、凹状の便貯留部内に便をされた場合、座部から凹状の便貯留部を取り外し、便をトイレに捨てることが出来き、介護用シャワー椅子全体を洗う必要が無く、介護者の負担を軽減させることを特徴とした介護用シャワー椅子を提供する。
【００１２】
又、着脱可能にした凹状の便貯留部内に設けた水抜き孔は縦スリットを設けたものでも良く、又、壁部が容器内部から外部にぬけられる空間を設けられたものを水抜き孔とする。図１２のように鍔部が開いているものでもよい。
着脱方法は、はめ込み式でもスライド式でも良くこだわるものではない。
【００１３】
請求項４は、座部に合成樹脂発砲体座面を嵌合させる為の貫通孔を設け、
合成樹脂発砲体座面下方に座部に設けた貫通孔と嵌合させる為の凸部を設け、座部と合成樹脂発砲体座面を嵌合させることにより、痩せた方などが座部に座り体を洗っていただいている間、固い座部で苦痛を感じることを和らげることが出来ることを特徴とした介護用シャワー椅子を提供する。
【発明の効果】
【００１４】
本発明は、高齢者や身体障害者が浴室で介護用シャワー椅子に腰かけ体を洗ったり、シャワーを浴びた際、筋肉が緩み又はシャワーの刺激などで便を催した場合、便が臀部に付着する量をなるべく少なくすることを目的とした介護用シャワー椅子に関するものであり、座部に凹状の便貯留部を設け凹状の便貯留部内に水抜き孔を設けている為、ある程度の水分を凹状の便貯留部から排出することにより凹状の便貯留部内に水分を貯めこまず、便が水分と一緒に浮上し臀部を汚すことを防止する効果がある。又、凹状の便貯留部の形状はこだわるものではない。
【００１５】
又、凹状の便貯留部に便の流出を規制する壁部を有することで、凹状の前後が開放されていない為便の流出を防ぎ、浴室床を汚すことを最小限に食い止める効果がある。下痢などの場合に備え座部、凹状の便貯留部に要らなくなった布、不織布等透水性のある素材を凹状の便貯留部に合わせた形状に展張させることで便をされた場合布、不織布等で包み捨てることが出来る効果がある。
【００１６】
又、座部の周囲もしくは下面に少なくとも２ヶ所、布、不織布等透水性のある素材を係止する為の係止部を設け、使用する際、布、不織布等透水性のある素材に切り込み又はループ状のもの等を設け、係止部に係止すれば布、不織布等透水性のある素材が動くことを防止する効果がある。
係止部に係止する方法はこだわるものではない。
【００１７】
又、座部に設けた凹状の便貯留部を着脱可能にしたことで、凹状の便貯留部内に便をされた場合、座部から凹状の便貯留部を取り外し、便をトイレに捨てることが出来き、介護用シャワー椅子全体を洗う必要が無く、介護者の負担を軽減させる効果がある。
【００１８】
取り付け取り外し方法として、座部上面からはめ込み式にした場合、凹状の便貯留部上部に鍔を設け座面の孔周囲が鍔の受け部となるため、凹状の便貯留
部をはめ込み使用することが出来る。又、凹状の便貯留部外側底面に摘み部を
設け、その摘み部を摘み上に押し上げれば取り外すことが出来る。
又、凹状の便貯留部鍔の一部を羽根を広げたように外側に広げれば、広げた部分を摘み部とすることも出来る。その場合は合成樹脂発砲体下面を摘み部に
合わせた形状にすれば合成樹脂発砲体が浮き、座りづらいということを解消できる。
【００１９】
スライド形式にした場合は、座部下面に凹状の便貯留部左右に設けた鍔部を差し込める受け部を設け、鍔部をスライドさせることにより取り付け取り外しが出来る。凹状の便貯留部外側の一部に持ち手を設けることにより取り付け、取り外しが容易になる効果がある。
又、持ち手の長さにこだわるものではなく、座面の側面に合わせた長さにすれば立ったまま凹状の便貯留部を取り外すことができる効果がある。
【００２０】
又、介護用シャワー椅子に腰かけ体を洗ったり、シャワーを浴びた際、筋肉が緩み又はシャワーの刺激などで便を催す場合が多いが、便をされた場合凹状の便貯留部をスライド形式にすれば座部下方から凹状の便貯留部を引出し便をトイレに捨て、凹状の便貯留部を取り外した部分が開放された孔となる為、座部下面から肛門、臀部を拭いたり、シャワーを当てることが出来る効果がある。
【００２１】
又、比較的しっかりされた方で肛門が緩んでいない方でも凹状の便貯留部を取り外せば肛門、臀部に座部下面からシャワーを当てることが出来、体を持ち上げることなく肛門、臀部を清潔にする効果もある。
【００２２】
座部に合成樹脂発砲体座面を嵌合させる為の貫通孔を設け、合成樹脂発砲体座面下方に座部に設けた貫通孔と嵌合させる為の凸部を設け、座部と合成樹脂
発砲体座面を嵌合させることにより、痩せた方などが座部に座り体を洗ってい
ただいている間、座部が固く苦痛を感じることを和らげることが出来る効果がある。
【００２３】
又、合成樹脂発砲体座面に設けた凹状の便貯留部に合わせた孔の周囲を柔らかな凸部に形成すれば、高齢の方の肛門近くの弛んだ皮膚を外側に広げることが出来、皮膚を便の付着から少しでも減らすことが出来る効果がある。
【図面の簡単な説明】
【００２４】
【図１】本発明による介護用シャワー椅子座部に凹状の便貯留部と凹状の便貯留部内に水抜き孔を設けた斜視図である。
【図２】本発明による介護用シャワー椅子座部に合成樹脂発砲体を嵌合させた斜視図である。
【図３】取り外し可能な凹状の便貯留部平面図である。
【図４】取り外し可能な凹状の便貯留部外側底面図である。
【図５】取り外し可能なスライド式凹状の便貯留部平面図である。
【図６】取り外し可能なスライド式凹状の便貯留部正面図である。
【図７】取り外し可能なスライド式凹状の便貯留部に係止部を設けた平面図である。
【図８】取り外し可能なスライド式凹状の便貯留部に係止部を設けた正面図である。
【図９】取り外し可能な凹状の便貯留部斜視図である。
【図１０】座部に合成樹脂発砲体座面を嵌合させる説明図である。
【図１１】取り外し可能な凹状の便貯留部平面図の他の一例である。
【図１２】スライド式凹状の便貯留部にスリットを設けた正面図の他の一例である。
【図１３】他の座部に他の合成樹脂発砲体座面を嵌合させた一例である。
【図１４】座部に設けた凹状の便貯留部に合わせた合成樹脂発砲体の孔周囲に緩やかな凸部を設け、座部に嵌合させた斜視図である。
【図１５】座部下面にスライド式凹状の便貯留部を差し込めることが出来る受け部を設けた斜視図である。
【図１６】座部にスライド式凹状の便貯留部を取り付け、合成樹脂発砲体座面を嵌合させた斜視図である。
【発明を実施するための形態】
【００２５】
本発明の実施例を図面に基づいて説明する。
図１は、介護用シャワー椅子１座部２に凹状の便貯留部３と凹状の便貯留部３内に水抜き孔４を設け、座部２に複数の水抜き孔５と合成樹脂発砲体を嵌合させる為の孔６を設けた斜視図である。
【００２６】
図２は、取り付け取り外しが可能な凹状の便貯留部９を取り付けた介護用シャワー椅子１座部２に水抜き孔８を設けた合成樹脂発砲体座面７を嵌合させた斜視図である。
【００２７】
図３は、取り付け取り外しが可能な凹状の便貯留部９上部周囲に鍔部１０を設け、座面に設けた孔２２に上から差し込むことにより、凹状の便貯留部９内に便をされた場合、座部２から凹状の便貯留部９上部周囲の鍔部１０に設けた摘み部１６を持ち取り外し、便をトイレに捨てることが出来、介護用シャワー椅子１全体を洗う必要が無い。
又、凹状の便貯留部９内に水抜き孔１１を設けている為、ある程度の水分を凹状の便貯留部９から排出することにより凹状の便貯留部９内に水分を貯めこまず、便が水分と一緒に浮上することを防ぐ取り外し可能な凹状の便貯留部９の平面図である。
【００２８】
図４は、取り付け取り外しが可能な凹状の便貯留部外側底面に摘み部１２を設け、取り外す場合は摘み部１２を摘み、上に押し上げ凹状の便貯留部９の鍔部１０に設けた摘み部１６を持ち取り外せるため、凹状の便貯留部９内に便をされた場合は取り外しトイレに便を捨てることが出来、介護用シャワー椅子１全体を洗う必要が無い凹状の便貯留部９の外側底面図である。
【００２９】
図５は、取り付け取り外しが可能なスライド式凹状の便貯留部１３の左右に
設けた鍔部１４を座部２の下面に設けた鍔部１４を差し込める受け部１７に鍔部１４をスライドさせ取り付け取り外しが出来るようにした凹状の便貯留部１３であり、凹状の便貯留部１３の外面の一部に持ち手１６を設けることにより取り付け、取り外しが簡単に出来るスライド式凹状の便貯留部１３平面図である。
【００３０】
図６は、座部２の下面に設けた受け部１７に鍔部１４をスライドさせ取り付け、凹状の便貯留部１３の外面の一部に持ち手１６を設けたスライド式凹状の便貯留部１３の正面図である。
【００３１】
図７は、取り付け取り外しが可能なスライド式凹状の便貯留部１３の左右に
設けた鍔部１４に布、不織布等透水性がある素材を取り付け、動くことを防止する係止部２３を設けた平面図である。
【００３２】
図８は、取り付け取り外しが可能なスライド式凹状の便貯留部１３の左右に
設けた鍔部１４に布、不織布等透水性がある素材を取り付け、動くことを防止する係止部２３を設けた正面図である。
【００３３】
図９は、取り付け取り外しが可能な凹状の便貯留部９上部に設けた鍔部１０に摘み部１６を設け、凹状の便貯留部９内に水抜き孔１１を設けた凹状の便貯留部９の斜視図であり、取り外す場合の摘み部１２を設けない斜視図である。
【００３４】
図１０は、凹状の便貯留部３、水抜き孔５と合成樹脂発砲体座面７を嵌合させる為の貫通孔６を設けた座面２に、合成樹脂発砲体座面７下面に座面２に嵌合させる為の凸部１８と水抜き孔８を設けた合成樹脂発砲体座面７を嵌合させる説明図である。
【００３５】
図１１は、取り付け取り外しが可能な凹状の便貯留部９平面図の他の一例である。
【００３６】
図１２は、取り付け取り外しが可能なスライド式凹状の便貯留部にスリット
を設けた正面図の他の一例である。
【００３７】
図１３は、他の座部に他の合成樹脂発砲体座面２０を嵌合させた一例である。
【００３８】
図１４は、座部２下面に設けた受け部１７に取り付け取り外し可能なスライド式凹状の便貯留部１３を取り付け、座部２の孔２２に合わせた合成樹脂発砲
体７の孔周囲に、高齢の方の肛門近くの弛んだ皮膚を外側に広げることが出来
る緩やかな凸部２１を設け座部２に嵌合させた斜視図である。
【００３９】
図１５は、孔２２を設けた座部２の下面にスライド式凹状の便貯留部１３を差し込むことが出来る受け部１７を設けた斜視図である。
【００４０】
図１６は、取り付け取り外し可能なスライド式凹状の便貯留部１３を座部２に取り付け、合成樹脂発砲体７を嵌合させた斜視図である。
【符号の説明】
【００４１】
１          介護用シャワー椅子
２          座部
３          凹状の便貯留部
４          凹状の便貯留部内に設けた水抜き孔
５          座部に設けた水抜き孔
６          合成樹脂発砲体を嵌合させる為の孔
７          合成樹脂発砲体座面
８          合成樹脂発砲体に設けた水抜き孔
９          取り付け取り外しが可能な凹状の便貯留部
１０        取り付け取り外しが可能な凹状の便貯留部上部に設けた鍔部
１１        取り付け取り外しが可能な凹状の便貯留部内に設けた水抜き孔
１２        摘み部
１３        取り付け取り外しが可能なスライド式凹状の便貯留部
１４        取り付け取り外しが可能なスライド式凹状の便貯留部上部に設けた鍔部
１５        取り付け取り外しが可能なスライド式凹状の便貯留部内に設けた水抜き孔
１６        持ち手
１７        受け部
１８        合成樹脂発砲体下面に設けた座面に嵌合させる為の凸部
１９        他の水抜き孔
２０        他の座面に取り付けた合成樹脂発砲体座面
２１        合成樹脂発砲体の孔周囲に設けた緩やかな凸部
２２        座面に設けた凹状の便貯留部を取り付けることができる孔
【要約】
【課題】、高齢者や身体障害者が浴室で介護用シャワー椅子に腰かけ体を洗った
り、シャワーを浴びた際、筋肉が緩み又はシャワーの刺激などで便を催した場
合、便が臀部に付着する量をなるべく少なくすることを目的とした介護用シャ
ワー椅子に関するものである。
【解決手段】少なくとも座部を有する介護用シャワー椅子であって、座部に
凹状の便貯留部を設け、凹状の便貯留部内に水抜き孔を設けている為、ある程度の水分を凹状の便貯留部から排出することにより凹状の便貯留部内に水分を貯めこまず、便が水分と一緒に浮上し臀部を汚すことを防止することが出来、
便貯留部は、便の流出を規制する壁部を有することを特徴とした介護用シャワー椅子。
【選択図】図１６【図１】
0005945059.tif 000002
【図２】
0005945059.tif 000003
【図３】
0005945059.tif 000004
【図４】
0005945059.tif 000005
【図５】
0005945059.tif 000006
【図６】
0005945059.tif 000007
【図７】
0005945059.tif 000008
【図８】
0005945059.tif 000009
【図９】
0005945059.tif 000010
【図１０】
0005945059.tif 000011
【図１１】
0005945059.tif 000012
【図１２】
0005945059.tif 000013
【図１３】
0005945059.tif 000014
【図１４】
0005945059.tif 000015
【図１５】
0005945059.tif 000016
【図１６】
0005945059.tif 000017